(57)【要約】【課題】ユーザによって利用可能な安全な伝送方式でコンテンツを送信する。【解決手段】ネットワーク（５）を介してユーザの装置（２０、３０）に接続可能な情報処理装置（１０）は、或るコンテンツの要求の受信に応答して、ライセンス・ポリシー（１２０）に従ってその或るコンテンツの送信に適用可能な少なくとも１つのセキュリティ方式（２０６）の識別を送信し、そのコンテンツがその１つのセキュリティ方式で受信され得る場合に、その１つのセキュリティ方式でコンテンツを送信する。ユーザの装置（２０、３０）は、或るコンテンツの要求を送信し、コンテンツの受信および再生に利用可能な少なくとも１つのセキュリティ方式（２０６）の識別を送信し、ライセンス・ポリシー（１２０）に従ってその１つのセキュリティ方式で送信されたコンテンツを受信する。【選択図】　　　　図１
2004030374.tif 000002
【特許請求の範囲】
【請求項１】
ネットワークを介してユーザの装置に接続可能な情報処理装置であって、
前記情報処理装置はプロセッサを具えており、
前記プロセッサは、或るコンテンツの要求の受信に応答して、ライセンス・ポリシーに従って前記或るコンテンツの送信に適用可能な少なくとも１つのセキュリティ方式の識別を送信し、
前記プロセッサは、前記コンテンツが前記１つのセキュリティ方式で受信され得る場合に、前記１つのセキュリティ方式でコンテンツを送信するものである、情報処理装置。
【請求項２】
ネットワークを介してユーザの装置に接続可能な情報処理装置であって、
前記情報処理装置はプロセッサを具えており、
前記プロセッサは、前記ユーザの装置から或るコンテンツの要求を受信でき、前記プロセッサは、前記ユーザの装置から利用可能な少なくとも１つのセキュリティ方式の識別を受信でき、
前記プロセッサは、ライセンス・ポリシーに従って前記要求されたコンテンツが前記１つのセキュリティ方式で送信することができる場合に、前記１つのセキュリティ方式でコンテンツを送信するものである、
情報処理装置。
【請求項３】
ネットワークを介してユーザの装置に接続可能な情報処理装置用のプログラムであって、
或るコンテンツの要求の受信に応答して、ライセンス・ポリシーに従って前記或るコンテンツの送信に適用可能な少なくとも１つのセキュリティ方式の識別を送信するステップと、
前記コンテンツが前記１つのセキュリティ方式で受信され得る場合に、前記１つのセキュリティ方式でコンテンツを送信するステップと、
を実行させるよう動作可能なプログラム。
【請求項４】
ネットワークを介してユーザの装置に接続可能な情報処理装置用のプログラムであって、
或るコンテンツの要求を受信するステップと、
前記プロセッサは、利用可能な少なくとも１つのセキュリティ方式の識別を受信するステップと、
前記プロセッサは、ライセンス・ポリシーに従って前記要求されたコンテンツが前記１つのセキュリティ方式で送信することができる場合に、前記１つのセキュリティ方式でコンテンツを送信するステップと、
を実行させるよう動作可能なプログラム。
【請求項５】
ネットワークを介してユーザの装置に接続可能な情報処理装置におけるコンテンツの送信方法であって、
或るコンテンツの要求の受信に応答して、ライセンス・ポリシーに従って前記或るコンテンツの送信に適用可能な少なくとも１つのセキュリティ方式の識別を送信するステップと、
前記コンテンツが前記１つのセキュリティ方式で受信され得る場合に、前記１つのセキュリティ方式でコンテンツを送信するステップと、
を含む、コンテンツの送信方法。
【発明の詳細な説明】
【０００１】
【発明の属する技術分野】
本発明は、コンテンツの安全な伝送に関し、特に、コンテンツ供給業者のライセンス・ポリシーに応じたユーザの装置へのコンテンツの安全な配信に関する。
【０００２】
【発明の背景】
例えばオーディオおよびビデオ・ファイルのようなディジタル・コンテンツがインターネットのようなネットワークを介してサーバからクライアントに有料で送信される。その際、クライアント・ユーザの認証手続きが行われて、ＦＴＰ、ＨＴＴＰまたはＳＳＬのようなプロトコルを用いてコンテンツが送信されるようにできる。
【０００３】
コンテンツの送信のセキュリティ上の問題として、傍受、改竄、なりすまし、取引事実の否認、再配布等がある。それを防止するために、例えば、そのコンテンツに電子透かしを用いてその所有者を限定したり、コンテンツを暗号化して有料の暗号鍵を用いて再生されるようにすることが提案されている。
【０００４】
しかし、特定の暗号化法で暗号化されたコンテンツを全てのクライアントまたは電子機器で復号できるわけではない。コンテンツ供給業者は全てのコンテンツを同じ形態で保護したいとは限らない。例えば、供給業者は、価値のより高いコンテンツをより高いセキュリティ方式（方法）で送信し、価値のより低いコンテンツまたは広告コンテンツのような広く配布したいコンテンツを暗号化せず低いセキュリティ方式で送信したいと考えるであろう。
【０００５】
宮崎によって２００１年１１月２２日付で公開された特開２００１−３２５１７７号公報（Ａ）には、コンテンツ・アプリケーション・サーバが記載されている。そのサーバは、クライアントからの機器仕様環境情報およびコンテンツ・アプリケーションの要求に応答して、対応するソース・コンテンツ・アプリケーションを、その機器仕様環境情報に適合するコンテンツ・アプリケーションに変換してクライアントに供給する。
【０００６】
川本、他によって２００１年７月２７日付で公開された特開２００１−２０２３０７号公報（Ａ）には、ネットワーク上での端末間の通信が記載されている。１つの端末は、別の端末が使用可能な通信アプリケーションを判別してそのアプリケーションを用いて情報をその別の端末に送信する。
【０００７】
山中、他によって２００１年６月２９日付で公開された特開２００１−１７５７５７号公報（Ａ）には、ネットワーク上でのディジタル・コンテンツの配信システムが記載されている。このシステムにおいて、購買者が、コンテンツを指定する情報と転送条件とを販売者に送信する。販売者は、その転送条件でそのコンテンツを購買者に配信する。
【０００８】
斉藤、他によって１９９９年１２月１０日付で公開された特開平１１−３４１０４０号公報（Ａ）には、２つのネットワーク間に接続された通信装置が記載されている。その通信装置は、第１のネットワーク上のサーバからサーバの属性情報を収集して、第２のネットワークのプロトコルに従って第２のネットワーク上の端末にそれを提示し、その属性情報に基づいて選択されたサービスの要求をそのサーバに送信し、そのサーバからのサービスを、必要に応じてフォーマット変換してその端末に提供する。
【０００９】
浅井によって２００１年９月２１日付で公開された特開２００１−２５６１６２号公報（Ａ）には、ゲートウェイを介してサーバからコンテンツを取得する携帯端末が記載されている。コンテンツは、ファイルと、そのファイルの映像、音響等を表す識別子とを含んでいる。その端末は、その識別子に対応する周辺機器にそのコンテンツ・ファイルを送信する。
【００１０】
発明者は、コンテンツ供給業者のライセンス・ポリシー（方針）に応じたコンテンツの伝送のためのセキュリティ方式の選択に対するニーズ（必要性）を認識した。また、発明者は、クライアントにおいて利用可能なセキュリティ方式でコンテンツをサーバからクライアントに送信（配信）することに対するニーズを認識した。
【００１１】
本発明の目的は、コンテンツ供給業者のライセンス・ポリシーに応じた購入者へのコンテンツの安全な伝送を実現することである。
【００１２】
本発明の別の目的は、ユーザによって利用可能な安全な伝送方式でコンテンツを送信することである。
【００１３】
【発明の概要】
発明の１つの特徴によれば、ネットワークを介してユーザの装置に接続可能な情報処理装置はプロセッサを具えている。そのプロセッサは、或るコンテンツの要求の受信に応答して、ライセンス・ポリシーに従ってその或るコンテンツの送信に適用可能な少なくとも１つのセキュリティ方式の識別を送信する。そのプロセッサは、そのコンテンツがその１つのセキュリティ方式で受信され得る場合に、その１つのセキュリティ方式でコンテンツを送信する。
【００１４】
発明の別の特徴によれば、ネットワークを介してユーザの装置に接続可能な情報処理装置はプロセッサを具えている。そのプロセッサは、そのユーザの装置から或るコンテンツの要求を受信するように適合化されている。そのプロセッサは、そのユーザの装置から利用可能な少なくとも１つのセキュリティ方式の識別を受信するように適合化されている。そのプロセッサは、ライセンス・ポリシーに従ってその要求されたコンテンツがその１つのセキュリティ方式で送信することができる場合に、その１つのセキュリティ方式でコンテンツを送信する。
【００１５】
発明の別の特徴によれば、ネットワークを介してユーザの装置に接続可能な情報処理装置はプロセッサを具えている。そのプロセッサは、そのユーザの装置から少なくとも１つの利用可能なセキュリティ方式の識別を受信するように適合化されている。そのプロセッサは、コンテンツのリストの要求の受信に応答して、ライセンス・ポリシーに従ってその少なくとも１つの利用可能なセキュリティ方式で送信できるコンテンツのリストを送信する。
【００１６】
発明の別の特徴によれば、ネットワークを介してコンテンツ供給元に接続可能な情報処理装置はプロセッサを具えている。そのプロセッサは、或るコンテンツの要求を送信する。そのプロセッサは、コンテンツの受信および再生に利用可能な少なくとも１つのセキュリティ方式の識別を送信する。そのプロセッサは、ライセンス・ポリシーに従ってその１つのセキュリティ方式で送信されたコンテンツを受信する。
【００１７】
発明の別の特徴によれば、ネットワークを介してコンテンツ供給元に接続可能な情報処理装置はプロセッサを具えている。そのプロセッサは、或るコンテンツの要求を送信する。そのプロセッサは、ライセンス・ポリシーに従ったその或るコンテンツを送信するための適用可能な少なくとも１つのセキュリティ方式の識別を受信する。そのプロセッサは、その１つのセキュリティ方式が利用可能な場合に、その１つのセキュリティ方式の識別を送信する。
【００１８】
発明の別の特徴によれば、ネットワークを介してコンテンツ供給元に接続可能な情報処理装置はプロセッサを具えている。そのプロセッサは、コンテンツの受信および再生に利用可能な少なくとも１つのセキュリティ方式の識別を送信する。そのプロセッサは、コンテンツのリストの要求を送信する。そのプロセッサは、ライセンス・ポリシーに従ったその少なくとも１つの利用可能なセキュリティ方式で送信可能なコンテンツのリストを受信する。
【００１９】
発明の別の特徴によれば、ネットワークを介してユーザの装置に接続可能な情報処理装置用のプログラム（これは記憶媒体に格納されていてもよい）は、或るコンテンツの要求の受信に応答して、ライセンス・ポリシーに従ってその或るコンテンツの送信に適用可能な少なくとも１つのセキュリティ方式の識別を送信するステップと、そのコンテンツがその１つのセキュリティ方式で受信され得る場合に、その１つのセキュリティ方式でコンテンツを送信するステップと、を実行させるよう動作可能である。
【００２０】
発明の別の特徴によれば、ネットワークを介してユーザの装置に接続可能な情報処理装置用のプログラム（これは記憶媒体に格納されていてもよい）は、或るコンテンツの要求を受信するステップと、そのプロセッサは、そのユーザの装置から利用可能な少なくとも１つのセキュリティ方式の識別を受信するステップと、そのプロセッサは、ライセンス・ポリシーに従ってその要求されたコンテンツがその１つのセキュリティ方式で送信することができる場合に、その１つのセキュリティ方式でコンテンツを送信するステップと、を実行させるよう動作可能である。
【００２１】
発明の別の特徴によれば、ネットワークを介してユーザの装置に接続可能な情報処理装置におけるコンテンツの送信方法は、或るコンテンツの要求の受信に応答して、ライセンス・ポリシーに従ってその或るコンテンツの送信に適用可能な少なくとも１つのセキュリティ方式の識別を送信するステップと、そのコンテンツがその１つのセキュリティ方式で受信され得る場合に、その１つのセキュリティ方式でコンテンツを送信するステップと、を含んでいる。
【００２２】
発明の別の特徴によれば、ネットワークを介してユーザの装置に接続可能な情報処理装置におけるコンテンツの送信方法は、そのユーザの装置から或るコンテンツの要求を受信するステップと、そのプロセッサは、そのユーザの装置から利用可能な少なくとも１つのセキュリティ方式の識別を受信するステップと、そのプロセッサは、ライセンス・ポリシーに従ってその要求されたコンテンツがその１つのセキュリティ方式で送信することができる場合に、その１つのセキュリティ方式でコンテンツを送信するステップと、を含んでいる。
【００２３】
本発明によれば、ユーザによって利用可能な安全な伝送方式でコンテンツを送信することができる。
【００２４】
図面において同じ参照番号は同じ要素を示している。
【００２５】
【００２６】
【発明の好ましい実施形態】
図１は、本発明による、例えばインターネットのようなネットワーク５を介して接続されたコンテンツ・サーバ１０および宅内ゲートウェイ・サーバ２０の構成を示している。ゲートウェイ・サーバ２０は、さらに、テレビジョン装置３２０およびオーディオ装置３３０等のユーザの機器に接続されている。
【００２７】
コンテンツ・サーバ１０は、内部バスを介して互いに結合された、ＣＰＵ、ＲＯＭおよびＲＡＭを含むプロセッサ１０２、プログラム記憶装置１０４、例えばハードディスク装置のようなコンテンツ・データベースおよびユーザ情報等を格納するための記憶装置１２０、および例えばインターネットのようなネットワーク５に接続されたネットワーク・インタフェース（Ｉ／Ｆ）１３０を具えている。
【００２８】
記憶装置１０４には、コンテンツ・サーバ用のアプリケーション・プログラムが格納されている。プロセッサ１０２は、そのアプリケーション・プログラムに従って動作する。代替構成として、そのようなアプリケーションは、プロセッサ１０２において集積回路のようなハードウェアの形で実装されていてもよい。
【００２９】
コンテンツという用語は、ここでは、例えば、オーディオおよび／またはビデオ・ファイルおよび文書ファイル等の形態の映画および音楽のプログラム（番組）、絵画および辞書のような狭義のディジタル・コンテンツおよびアプリケーション・ファイルのような、ウェブ配信に適したディジタル著作物または広義のソフトウェアを含むものとして広く解釈すべきである。そのコンテンツは、定期的に更新されるものであってもよく、例えば、相異なるニュースおよび広告および天気予報のようなオーディオおよびビデオ・ファイルであってもよい。そのコンテンツの各々には、コンテンツ・サーバ１０の運営業者のライセンス・ポリシー、例えばコンテンツのタイプ、価値、配布対象および有効期限等に応じて、適用可能な少なくとも１つのセキュリティ方式（方法）が対応付けられている。
【００３０】
図６は、ライセンス・ポリシーに従って決定された或るコンテンツに適用可能な複数のセキュリティ方式の例を示している。それらのセキュリティ方式は異なるおよび同じ優先順位を有していてもよい。図６において、或るコンテンツについて、第１のセキュリティ方式は、暗号化方式としてＤＥＳを採用し、認証方式としてディジタル署名を採用し、ハッシュ方式としてＭＤ−５を採用している。第２のセキュリティ方式は、暗号化方式としてＡＥＳを採用し、認証方式を用いず、ハッシュ方式を用いない。第３のセキュリティ方式は、暗号化方式としてトリプルＤＥＳを採用し、認証方式を用いず、ハッシュ方式を用いない。セキュリティ方式は、コンテンツの伝送のためのネットワークをセキュリティの高いネットワークに限定することを含んでいてもよい。例えば、広告ビデオ・ファイルは、暗号化も、認証も、ハッシュ法も用いない最小のセキュリティ方式で送信してもよい。
【００３１】
宅内ゲートウェイ・サーバ２０は、内部バスを介して互いに結合された、ＣＰＵ、ＲＯＭおよびＲＡＭを含むプロセッサ２０２、コンテンツ再生モジュール２０４、セキュリティ・モジュール２０６、例えばハードディスク装置のようなアプリケーションおよび受信ファイル等を格納するための記憶装置２２０、キーボードおよびマウスを含む入力装置２４０、表示装置２５０、マイクロフォンおよびスピーカを含む音声装置２６０、外部ネットワーク・インタフェース（ＮＷ　Ｉ／Ｆ）２３０、および機器インタフェース（Ｉ／Ｆ）２７０を具えている。機器インタフェース２７０は、ＩＥＥＥ１３９４バスまたはＵＳＢケーブルを介してテレビジョン装置３２０およびオーディオ装置３３０等のユーザの機器に接続されている。
【００３２】
記憶装置２２０には、宅内ゲートウェイ・サーバ２０用のアプリケーション・プログラムが格納されている。プロセッサ２０２は、そのアプリケーション・プログラムに従って動作する。代替構成として、そのようなアプリケーションは、プロセッサ２０２において集積回路のようなハードウェアの形で実装されていてもよい。
【００３３】
再生モジュール２０４は、ビデオおよび／またはオーディオ・ストリームの復号および再生モジュールである。再生モジュール２０４は、所定の暗号法に従って暗号解読を行ってもよい。セキュリティ・モジュール２０６は、例えば所定の認証法、ハッシュ法および／または暗号法に従った受信コンテンツの処理を行う。再生モジュール２０４およびセキュリティ・モジュール２０６は、ハードウェアまたはソフトウェアの形態で実装されており、それがソフトウェア・プログラムである場合は、そのプログラムはプロセッサ２０２によって実行される。
【００３４】
図２は、本発明による、例えばインターネットのようなネットワーク５を介して接続されたコンテンツ・サーバ１０および別の宅内ゲートウェイ・サーバ３０の構成を示している。ゲートウェイ・サーバ３０は、さらに、パーソナル・コンピュータ（ＰＣ）３１０、テレビジョン装置（ＴＶ）３２０およびオーディオ装置３３０のようなユーザの機器に接続されている。ゲートウェイ・サーバ３０は、さらに、移動（携帯）電話機３６０および／またはＰＤＡ３７０との間で、例えば公衆電話網および移動電話網のようなネットワーク７を介して通信する。コンテンツ・サーバ１０は、図１のものと同じ構成を有し、再び説明することはしない。
【００３５】
宅内ゲートウェイ・サーバ３０は、内部バスを介して互いに結合された、ＣＰＵ、ＲＯＭおよびＲＡＭを含むプロセッサ３０２、セキュリティ・モジュール２０６、例えばハードディスク装置のような記憶装置２２０、外部ネットワーク・インタフェース（ＮＷ　Ｉ／Ｆ）２３０、およびネットワーク７に接続されたネットワーク・インタフェース（ＮＷ　Ｉ／Ｆ）３３２、機器インタフェース２７０を具えている。
【００３６】
記憶装置２２０には、宅内ゲートウェイ・サーバ３０用のアプリケーション・プログラムが格納されている。プロセッサ３０２は、そのアプリケーション・プログラムに従って動作する。代替構成として、そのようなアプリケーションは、プロセッサ３０２において集積回路のようなハードウェアの形で実装されていてもよい。
【００３７】
機器インタフェース２７０は、ＩＥＥＥ１３９４バスまたはＵＳＢケーブルを介して、パーソナル・コンピュータ（ＰＣ）３１０、テレビジョン装置（ＴＶ）３２０およびオーディオ装置３３０等のユーザの機器に接続されている。その機器３１０、３２０および３３０、移動電話機３６０およびＰＤＡ３７０等のユーザの機器は、図１における再生モジュール２０４と同様のそれぞれの再生モジュールを含んでおり、さらにセキュリティ・モジュール２０６と同様のセキュリティ・モジュールを含んでいてもよい。ゲートウェイ・サーバ３０は、好ましくは、機器３１０、３２０および３３０、移動電話機３６０およびＰＤＡ３７０等のユーザの機器で入手可能なコンテンツのタイプ、符号化法およびセキュリティ方式に関する情報（例えば暗号化方式の識別）を予め収集し、それをゲートウェイ・サーバ３０で利用可能なセキュリティ方式（例えば認証方式の識別）とともに記憶装置３２０に格納しておく。そのような情報はユーザによって手動で入力されて記憶装置３２０に格納されてもよい。
【００３８】
図３は、本発明による、コンテンツ・サーバ１０とゲートウェイ・サーバ２０および３０によって実行されるコンテンツの送信（配信）および受信の手順を示している。
【００３９】
次に、図１および図３を参照して、コンテンツ・サーバ１０とゲートウェイ・サーバ２０の動作を説明する。
【００４０】
ステップ３０１において、ユーザは、ゲートウェイ・サーバ２０の表示装置２５０を見ながら入力装置２４０を操作して、ネットワーク５上でゲートウェイ・サーバ２０をコンテンツ・サーバ１０に動作上接続しコンテンツを要求する。そのコンテンツの要求は、有料コンテンツの購入を意味していてもよい。
【００４１】
ゲートウェイ・サーバ２０（即ちプロセッサ２０２）は、そのコンテンツの要求に応答して、ステップ３０３において、コンテンツ・サーバ１０に対してそのコンテンツを送信するよう要求する。コンテンツ・サーバ１０は、ステップ３２３においてそのコンテンツの送信の要求を受信する。
【００４２】
コンテンツ・サーバ１０（即ちプロセッサ１０２）は、ステップ３２５において、コンテンツ・データベース１２０中のコンテンツ・セキュリティ方式のテーブルをルックアップしそのコンテンツのライセンス・ポリシに応じたコンテンツの送信のための適用可能なセキュリティ方式の識別（ＩＤ）を取り出して、ゲートウェイ・サーバ２０に対して、その適用可能なセキュリティ方式の識別のリストを送信する。その適用可能なセキュリティ方式は例えば図６に示されているようなものである。ゲートウェイ・サーバ２０は、ステップ３０５においてその適用可能なセキュリティ方式の識別の提示リストを受信する。
【００４３】
ゲートウェイ・サーバ２０は、ステップ３０７において、記憶装置２２０に格納されているゲートウェイ・サーバ２０で利用可能なセキュリティ方式の識別のテーブルをルックアップして、その提示されたセキュリティ方式とその利用可能なセキュリティ方式とを比較して、提示されたセキュリティ方式のいずれかで送信されるコンテンツが受信して復号および再生できるかどうかを判定する。ゲートウェイ・サーバ２０で利用可能なセキュリティ方式とは、ゲートウェイ・サーバ２０の再生モジュール２０４およびセキュリティ・モジュール２０６において利用可能なセキュリティ方式であり、またはゲートウェイ・サーバ２０に接続されたユーザの機器３２０および３３０または接続されていないユーザの機器（図示せず）において利用可能なセキュリティ方式を含んでいてもよい。
【００４４】
そのコンテンツが受信可能であると判定された場合は、ゲートウェイ・サーバ２０は、ステップ３０９において、利用可能なセキュリティ方式にマッチ（適合）する適用可能なセキュリティ方式の中で最も優先順位の高いものを選択または指定して、そのセキュリティ方式の識別をサーバ１０に送信する。コンテンツ・サーバ１０は、ステップ３２９において、データベース１２０から取り出されたその要求されたコンテンツをその選択されたセキュリティ方式に従って処理しその処理されたコンテンツをゲートウェイ・サーバ２０に送信する。予め、適用可能なセキュリティ方式の一部に従って処理されたそのようなコンテンツをデータベース１２０に格納しておいてもよい。ゲートウェイ・サーバ２０は、ステップ３１１においてそのコンテンツを受信して記憶装置２２０に格納し、さらにそのコンテンツの受信を表示装置２５０に表示する。それによって、ユーザはそのコンテンツを利用できる。
【００４５】
ステップ３０７においてそのコンテンツが受信可能でないと判定された場合は、ゲートウェイ・サーバ２０は、ステップ３１３において、コンテンツの送信の要求の取り消しをサーバ１０に送信し、さらに表示装置２５０にそのコンテンツが利用できないことを表示する。サーバ１０は、ステップ３３３において、コンテンツの送信の要求の取り消しを受信して、コンテンツの送信の手順を終了する。
【００４６】
図４は、本発明による、コンテンツ・サーバ１０とゲートウェイ・サーバ２０および３０によって実行されるコンテンツの送信および受信の別の手順を示している。
【００４７】
次に、図１および図４を参照して、コンテンツ・サーバ１０とゲートウェイ・サーバ２０の動作を説明する。
【００４８】
ステップ４０１において、ユーザは、ゲートウェイ・サーバ２０の表示装置２５０を見ながら入力装置２４０を操作して、ネットワーク５上でゲートウェイ・サーバ２０をコンテンツ・サーバ１０に接続しコンテンツを要求する。
【００４９】
ゲートウェイ・サーバ２０（即ちプロセッサ２０２）は、そのコンテンツの要求に応答して、ステップ４０３において、コンテンツ・サーバ１０に対して、そのコンテンツを送信するよう要求し、記憶装置２２０に格納されているゲートウェイ・サーバ２０で利用可能なセキュリティ方式の識別のテーブルをルックアップしてその利用可能なセキュリティ方式の識別を送信する。コンテンツ・サーバ１０（即ちプロセッサ１０２）は、ステップ４２３においてそのコンテンツの送信の要求と利用可能なセキュリティ方式の識別を受信する。
【００５０】
コンテンツ・サーバ１０は、ステップ４２５において、ゲートウェイ・サーバ２０におけるその利用可能なセキュリティ方式と、コンテンツ・サーバ１０におけるその要求されたコンテンツに適用可能なセキュリティ方式とを比較して、要求されたコンテンツをその利用可能なセキュリティ方式のいずれかで送信できるかどうかを判定する。
【００５１】
そのコンテンツがその利用可能なセキュリティ方式のいずれかで送信できると判定された場合は、コンテンツ・サーバ１０は、ステップ４２７において、利用可能なセキュリティ方式にマッチする適用可能なセキュリティ方式の中で最も優先順位の高いものを選択して、データベース１２０から取り出された要求されたコンテンツをその選択されたセキュリティ方式に従って処理しその処理されたコンテンツをゲートウェイ・サーバ２０に送信する。予め、適用可能なセキュリティ方式の一部に従って処理されたそのようなコンテンツをデータベース１２０に格納しておいてもよい。ゲートウェイ・サーバ２０は、ステップ４０７においてそのコンテンツを受信する。
【００５２】
そのコンテンツがその利用可能なセキュリティ方式で送信できないと判定された場合は、ゲートウェイ・サーバ２０は、ステップ４２９において、ゲートウェイ・サーバ２０に対してそのコンテンツの送信の拒否を送信する。サーバ１０は、ステップ４０９において、コンテンツの送信の拒否を受信して、表示装置２５０にそのコンテンツが利用できないことを表示する。
【００５３】
図５は、本発明による、コンテンツ・サーバ１０とゲートウェイ・サーバ２０および３０によって実行されるコンテンツの送信および受信のさらに別の手順を示している。
【００５４】
次に、図１および図５を参照して、コンテンツ・サーバ１０とゲートウェイ・サーバ２０の動作を説明する。
【００５５】
ステップ５０１において、ユーザは、ゲートウェイ・サーバ２０の表示装置２５０を見ながら入力装置２４０を操作して、ネットワーク５上でゲートウェイ・サーバ２０をコンテンツ・サーバ１０に接続して、ゲートウェイ・サーバ２０に入手可能なコンテンツのリストを要求する。
【００５６】
ステップ５０２において、ゲートウェイ・サーバ２０（即ちプロセッサ２０２）は、ゲートウェイ・サーバ２０におけるコンテンツのタイプに対する利用可能なセキュリティ方式の識別がコンテンツ・サーバ１０に通知済みかどうかを判定する。そのために、ゲートウェイ・サーバ２０は、その利用可能なセキュリティ方式の識別がコンテンツ・サーバ１０に通知済みであるかどうかを問い合わせてもよい。それが通知済みであると判定された場合は、ゲートウェイ・サーバ２０は、ステップ５０５において入手可能なコンテンツのリストを要求する。それが通知済みでないと判定された場合は、ゲートウェイ・サーバ２０は、ステップ５０３において記憶装置２２０に格納されているその利用可能なセキュリティ方式の識別を取り出して、その識別をコンテンツ・サーバ１０に送信し、ステップ５０５において入手可能なコンテンツのリストを要求する。
【００５７】
コンテンツ・サーバ１０（即ちプロセッサ１０２）は、ステップ５２３においてその利用可能なセキュリティ方式の識別を受信してユーザ情報として記憶装置１２０に格納する。コンテンツ・サーバ１０は、ステップ５２５においてそのコンテンツのリストの要求を受信し、ステップ５２７においてゲートウェイ・サーバ２０において利用可能なセキュリティ方式の識別を記憶装置１２０から取り出す。
【００５８】
コンテンツ・サーバ１０は、ステップ５２９において、ゲートウェイ・サーバ２０におけるその利用可能なセキュリティ方式と、コンテンツ・サーバ１０におけるその要求されたコンテンツに適用可能なセキュリティ方式とを比較して、ゲートウェイ・サーバ２０において利用可能なセキュリティ方式で送信できるコンテンツのリストを生成してゲートウェイ・サーバ２０に送信する。そのリストは、コンテンツの属性、例えば、コンテンツのタイプ（例えば、オーディオおよび／またはビデオファイル、テキストファイル等のタイプの識別）、名称、ライセンス・ポリシー、価格および有効期限等を含んでいてもよい。
【００５９】
ゲートウェイ・サーバ２０は、ステップ５０９においてそのコンテンツのリストを表示装置２５０に表示する。ステップ５１１において、ユーザは、その入手可能なコンテンツのリストを見ながら入力装置２４０を操作して、その１つ以上のコンテンツを選択してそのコンテンツを要求する。ゲートウェイ・サーバ２０は、その要求に応答して、コンテンツ・サーバ１０に対してそのコンテンツを送信するよう要求する。
【００６０】
コンテンツ・サーバ１０は、ステップ５３１において、そのコンテンツの要求を受信し、その利用可能なセキュリティ方式にマッチする適用可能なセキュリティ方式の中で最も優先順位の高いものを選択して、データベース１２０から取り出された要求されたコンテンツをその選択されたセキュリティ方式に従って処理しその処理されたコンテンツをゲートウェイ・サーバ２０に送信する。予め、適合可能なセキュリティ方式に従って処理されたそのようなコンテンツをデータベース１２０に格納しておいてもよい。ゲートウェイ・サーバ２０は、ステップ５１３においてそのコンテンツを受信して記憶装置２２０に格納する。それによって、ユーザはそのコンテンツを利用できる。
【００６１】
次に、図２および図３を参照して、コンテンツ・サーバ１０とゲートウェイ・サーバ３０の動作を説明する。
【００６２】
ステップ３０１において、ユーザは、移動電話機３６０またはＰＤＡ３７０の表示器を見ながらそのキーを操作して、ネットワーク７を介して移動電話機３６０またはＰＤＡ３７０をゲートウェイ・サーバ３０に接続して、ゲートウェイ・サーバ３０にコンテンツを要求する。その際、移動電話機３６０またはＰＤＡ３７０は、そのコンテンツが移動電話機３６０またはＰＤＡ３７０において利用されるものであるときは、それとともに移動電話機３６０またはＰＤＡ３７０において利用可能なセキュリティ方式の識別をゲートウェイ・サーバ３０に送信してもよい。ゲートウェイ・サーバ３０はその利用可能なセキュリティ方式の識別を記憶装置２２０に格納する。そのコンテンツの要求は、有料コンテンツの購入を意味していてもよい。
【００６３】
ステップ３０３〜３０５および３２３〜３２５におけるゲートウェイ・サーバ３０およびコンテンツ・サーバ１０の動作は、図１のゲートウェイ・サーバ２０およびコンテンツ・サーバ１０の動作と同様であり、再び説明することはしない。
【００６４】
ゲートウェイ・サーバ３０（即ちプロセッサ３０２）は、ステップ３０７において、記憶装置２２０に格納されているゲートウェイ・サーバ３０とユーザの機器３１０、３２０、３３０、３６０および３７０等との組み合わせで利用可能なセキュリティ方式の識別のテーブルをルックアップして、コンテンツ・サーバ１０によって提示されたセキュリティ方式とその利用可能なセキュリティ方式とを比較して、提示されたセキュリティ方式のいずれかで送信されるコンテンツが受信して再生できるかどうかを判定する。
【００６５】
ステップ３０９および３２９〜３３３におけるコンテンツ・サーバ１０およびゲートウェイ・サーバ３０の動作は、図１のコンテンツ・サーバ１０およびゲートウェイ・サーバ２０の動作と同様であり、再び説明することはしない。
【００６６】
ステップ３１１において、ゲートウェイ・サーバ３０は、選択されたセキュリティ方式で送信されたコンテンツを受信しそれを記憶装置２２０に格納して、このコンテンツの受信を移動電話機３６０またはＰＤＡ３７０に通知して表示させる。ステップ３１３において、ゲートウェイ・サーバ３０は、コンテンツの送信の要求の取り消しをサーバ１０に送信し、さらに移動電話機３６０またはＰＤＡ３７０にそれを通知して表示させる。
【００６７】
次に、図２および図４を参照して、コンテンツ・サーバ１０とゲートウェイ・サーバ３０の動作を説明する。
【００６８】
ステップ４０１において、ユーザは、移動電話機３６０またはＰＤＡ３７０の表示器を見ながらそのキーを操作して、ネットワーク７を介して移動電話機３６０またはＰＤＡ３７０をゲートウェイ・サーバ３０に接続して、ゲートウェイ・サーバ３０にコンテンツを要求する。その際、移動電話機３６０またはＰＤＡ３７０は、そのコンテンツが移動電話機３６０またはＰＤＡ３７０において利用されるものであるときは、それとともに移動電話機３６０またはＰＤＡ３７０において利用可能なセキュリティ方式の識別をゲートウェイ・サーバ３０に送信してもよい。ゲートウェイ・サーバ３０はその利用可能なセキュリティ方式の識別を記憶装置２２０に格納する。
【００６９】
ゲートウェイ・サーバ３０（即ちプロセッサ３０２）は、ユーザによるコンテンツの要求に応答して、ステップ４０３において、コンテンツ・サーバ１０に対して、そのコンテンツを送信するよう要求し、記憶装置２２０に格納されているゲートウェイ・サーバ３０とユーザの機器３１０、３２０、３３０、３６０および３７０等との組み合わせで利用可能なセキュリティ方式の識別のテーブルをルックアップしてその利用可能なセキュリティ方式の識別を送信する。
【００７０】
ステップ４２３〜４２９におけるゲートウェイ・サーバ３０およびコンテンツ・サーバ１０の動作は、図１のゲートウェイ・サーバ２０およびコンテンツ・サーバ１０の動作と同様であり、再び説明することはしない。
【００７１】
ステップ４０７において、ゲートウェイ・サーバ３０は、そのコンテンツを受信しそれを記憶装置２２０に格納して、このコンテンツの受信を移動電話機３６０またはＰＤＡ３７０に通知して表示させる。ステップ４０９において、ゲートウェイ・サーバ３０は、コンテンツの送信の要求の拒否をサーバ１０から受信し、さらに移動電話機３６０またはＰＤＡ３７０にそれを通知して表示させる。
【００７２】
次に、図２および図５を参照して、コンテンツ・サーバ１０とゲートウェイ・サーバ３０の動作を説明する。
【００７３】
ステップ５０１において、ユーザは、移動電話機３６０またはＰＤＡ３７０の表示器を見ながらそのキーを操作して、ネットワーク７を介して移動電話機３６０またはＰＤＡ３７０をゲートウェイ・サーバ３０に接続して、ゲートウェイ・サーバ３０にコンテンツのリストを要求する。その際、移動電話機３６０またはＰＤＡ３７０は、それとともに移動電話機３６０またはＰＤＡ３７０において利用可能なセキュリティ方式の識別をゲートウェイ・サーバ３０に送信してもよい。ゲートウェイ・サーバ３０はその利用可能なセキュリティ方式の識別を記憶装置２２０に格納する。
【００７４】
ステップ５０２において、ゲートウェイ・サーバ３０（即ちプロセッサ３０２）は、その要求に応答して、記憶装置２２０に格納されているゲートウェイ・サーバ３０とユーザの機器３１０、３２０、３３０、３６０および３７０等との組み合わせで利用可能なセキュリティ方式の識別がコンテンツ・サーバ１０に通知済みかどうかを判定する。そのために、ゲートウェイ・サーバ３０は、その利用可能なセキュリティ方式の識別がコンテンツ・サーバ１０に通知済みであるかどうかを問い合わせてもよい。それが通知済みであると判定された場合は、ゲートウェイ・サーバ３０は、ステップ５０５において入手可能なコンテンツのリストをコンテンツ・サーバ１０に要求する。それが通知済みでないと判定された場合は、ゲートウェイ・サーバ３０は、ステップ５０３においてその利用可能なセキュリティ方式の識別をコンテンツ・サーバ１０に送信し、ステップ５０５において入手可能なコンテンツのリストを要求する。
【００７５】
ステップ５２３〜５３３におけるゲートウェイ・サーバ３０およびコンテンツ・サーバ１０の動作は、図１のコンテンツ・サーバ１０およびゲートウェイ・サーバ２０の動作と同様であり、再び説明することはしない。
【００７６】
ステップ５０９において、ゲートウェイ・サーバ３０は、そのコンテンツのリストを移動電話機３６０またはＰＤＡ３７０に送信してその表示器に表示させる。ステップ５１１において、ユーザは、その入手可能なコンテンツのリストを見ながら移動電話機３６０またはＰＤＡ３７０のキーを操作して、その１つ以上のコンテンツを選択してゲートウェイ・サーバ３０にそれを要求する。ゲートウェイ・サーバ３０は、その要求に応答して、コンテンツ・サーバ１０に対してそのコンテンツを送信するよう要求する。
【００７７】
ステップ５１３において、ゲートウェイ・サーバ３０は、そのコンテンツを受信しそれを記憶装置２２０に格納して、このコンテンツの受信を移動電話機３６０またはＰＤＡ３７０に通知して表示させる。
【００７８】
以上説明した実施形態は典型例として挙げたに過ぎず、その変形およびバリエーションは当業者にとって明らかであり、当業者であれば本発明の原理および請求の範囲に記載した発明の範囲を逸脱することなく上述の実施形態の種々の変形を行えることは明らかである。
【００７９】
（付記１）　ネットワークを介してユーザの装置に接続可能な情報処理装置であって、
前記情報処理装置はプロセッサを具えており、
前記プロセッサは、或るコンテンツの要求の受信に応答して、ライセンス・ポリシーに従って前記或るコンテンツの送信に適用可能な少なくとも１つのセキュリティ方式の識別を送信し、
前記プロセッサは、前記コンテンツが前記１つのセキュリティ方式で受信され得る場合に、前記１つのセキュリティ方式でコンテンツを送信するものである、情報処理装置。
（付記２）　前記プロセッサは、前記少なくとも１つのセキュリティ方式の識別の前記送信の後、前記１つのセキュリティ方式の識別の指定または前記コンテンツの要求の取り消しのいずれかを受信するものである、付記１に記載の情報処理装置。
（付記３）　ネットワークを介してユーザの装置に接続可能な情報処理装置であって、
前記情報処理装置はプロセッサを具えており、
前記プロセッサは、前記ユーザの装置から或るコンテンツの要求を受信するように適合化されており、
前記プロセッサは、前記ユーザの装置から利用可能な少なくとも１つのセキュリティ方式の識別を受信するように適合化されており、
前記プロセッサは、ライセンス・ポリシーに従って前記要求されたコンテンツが前記１つのセキュリティ方式で送信することができる場合に、前記１つのセキュリティ方式でコンテンツを送信するものである、
情報処理装置。
（付記４）　前記プロセッサは、前記ライセンス・ポリシーに従って前記要求されたコンテンツが前記少なくとも１つのセキュリティ方式で送信することができない場合に、前記要求されたコンテンツを送信しないものである、付記３に記載の情報処理装置。
（付記５）　ネットワークを介してユーザの装置に接続可能な情報処理装置であって、
前記情報処理装置はプロセッサを具えており、
前記プロセッサは、前記ユーザの装置から少なくとも１つの利用可能なセキュリティ方式の識別を受信するように適合化されており、
前記プロセッサは、コンテンツのリストの要求の受信に応答して、ライセンス・ポリシーに従って前記少なくとも１つの利用可能なセキュリティ方式で送信できるコンテンツのリストを送信するものである、
情報処理装置。
（付記６）　前記プロセッサは、さらに、前記コンテンツのリストの中から選択されたコンテンツの要求に応答して、前記少なくとも１つの利用可能なセキュリティ方式にマッチする適用可能な１つのセキュリティ方式で前記選択されたコンテンツを送信するものである、付記５に記載の情報処理装置。
（付記７）　ネットワークを介してコンテンツ供給元に接続可能な情報処理装置であって、
前記情報処理装置はプロセッサを具えており、
前記プロセッサは、或るコンテンツの要求を送信し、
前記プロセッサは、コンテンツの受信および再生に利用可能な少なくとも１つのセキュリティ方式の識別を送信し、
前記プロセッサは、ライセンス・ポリシーに従って前記１つのセキュリティ方式で送信されたコンテンツを受信するものである、
情報処理装置。
（付記８）　前記プロセッサは、別の装置から受信されたコンテンツの要求に応答して、前記或るコンテンツの要求を送信するものである、付記７に記載の情報処理装置。
（付記９）　ネットワークを介してコンテンツ供給元に接続可能な情報処理装置であって、
前記情報処理装置はプロセッサを具えており、
前記プロセッサは、或るコンテンツの要求を送信し、
前記プロセッサは、ライセンス・ポリシーに従った前記或るコンテンツを送信するための適用可能な少なくとも１つのセキュリティ方式の識別を受信し、
前記プロセッサは、前記１つのセキュリティ方式が利用可能な場合に、前記１つのセキュリティ方式の識別を送信するものである、
情報処理装置。
（付記１０）　前記プロセッサは、別の装置から受信されたコンテンツの要求に応答して、前記或るコンテンツの要求を送信するものである、付記９に記載の情報処理装置。
（付記１１）　ネットワークを介してコンテンツ供給元に接続可能な情報処理装置であって、
前記情報処理装置はプロセッサを具えており、
前記プロセッサは、コンテンツの受信および再生に利用可能な少なくとも１つのセキュリティ方式の識別を送信し、
前記プロセッサは、コンテンツのリストの要求を送信し、
前記プロセッサは、ライセンス・ポリシーに従った前記少なくとも１つの利用可能なセキュリティ方式で送信可能なコンテンツのリストを受信するものである、
情報処理装置。
（付記１２）　前記プロセッサは、さらに、前記受信したコンテンツのリストの中から選択されたコンテンツの識別を送信し、前記１つの利用可能なセキュリティ方式で送信された前記選択されたコンテンツを受信するものである、付記１１に記載の情報処理装置。
（付記１３）　前記プロセッサは、別の装置から受信されたコンテンツの要求に応答して、前記コンテンツのリストの要求を送信するものである、付記１１に記載の情報処理装置。
（付記１４）　ネットワークを介してユーザの装置に接続可能な情報処理装置用の、記憶媒体に格納されたプログラムであって、
或るコンテンツの要求の受信に応答して、ライセンス・ポリシーに従って前記或るコンテンツの送信に適用可能な少なくとも１つのセキュリティ方式の識別を送信するステップと、
前記コンテンツが前記１つのセキュリティ方式で受信され得る場合に、前記１つのセキュリティ方式でコンテンツを送信するステップと、
を実行させるよう動作可能なプログラム。
（付記１５）　前記少なくとも１つのセキュリティ方式の識別の前記送信の後、前記１つのセキュリティ方式の識別の指定または前記コンテンツの要求の取り消しのいずれかを受信するステップを実行させるよう動作可能な、付記１４に記載のプログラム。
（付記１６）　ネットワークを介してユーザの装置に接続可能な情報処理装置用の、記憶媒体に格納されたプログラムであって、
或るコンテンツの要求を受信するステップと、
前記プロセッサは、利用可能な少なくとも１つのセキュリティ方式の識別を受信するステップと、
前記プロセッサは、ライセンス・ポリシーに従って前記要求されたコンテンツが前記１つのセキュリティ方式で送信することができる場合に、前記１つのセキュリティ方式でコンテンツを送信するステップと、
を実行させるよう動作可能なプログラム。
（付記１７）　ネットワークを介してユーザの装置に接続可能な情報処理装置用の、記憶媒体に格納されたプログラムであって、
少なくとも１つの利用可能なセキュリティ方式の識別を受信するステップと、
前記プロセッサは、コンテンツのリストの要求の受信に応答して、ライセンス・ポリシーに従って前記少なくとも１つの利用可能なセキュリティ方式で送信できるコンテンツのリストを送信するステップと、
を実行させるよう動作可能なプログラム。
（付記１８）　さらに、前記コンテンツのリストの中から選択されたコンテンツの要求に応答して、前記少なくとも１つの利用可能なセキュリティ方式の中の適用可能な１つのセキュリティ方式で前記選択されたコンテンツを送信するステップを実行させるよう動作可能な、付記１７に記載のプログラム。
（付記１９）　ネットワークを介してコンテンツ供給元に接続可能な情報処理装置用の、記憶媒体に格納されたプログラムであって、
或るコンテンツの要求を送信するステップと、
前記プロセッサは、コンテンツの受信および再生に利用可能な少なくとも１つのセキュリティ方式の識別を送信するステップと、
前記プロセッサは、ライセンス・ポリシーに従って前記１つのセキュリティ方式で送信されたコンテンツを受信するステップと、
を実行させるよう動作可能なプログラム。
（付記２０）　ネットワークを介してコンテンツ供給元に接続可能な情報処理装置用の、記憶媒体に格納されたプログラムであって、
或るコンテンツの要求を送信するステップと、
ライセンス・ポリシーに従った前記或るコンテンツを送信するための適用可能な少なくとも１つのセキュリティ方式の識別を受信するステップと、
前記１つのセキュリティ方式が利用可能な場合に、前記１つのセキュリティ方式の識別を送信するステップと、
を実行させるよう動作可能なプログラム。
（付記２１）　ネットワークを介してコンテンツ供給元に接続可能な情報処理装置用の、記憶媒体に格納されたプログラムであって、
コンテンツの受信および再生に利用可能な少なくとも１つのセキュリティ方式の識別を送信するステップと、
前記プロセッサは、コンテンツのリストの要求を送信するステップと、
前記プロセッサは、ライセンス・ポリシーに従った前記少なくとも１つの利用可能なセキュリティ方式で送信可能なコンテンツのリストを受信するステップと、
を実行させるよう動作可能なプログラム。
（付記２２）　さらに、前記受信したコンテンツのリストの中から選択されたコンテンツの識別を送信し、前記１つの利用可能なセキュリティ方式で送信された前記選択されたコンテンツを受信するステップを実行させるよう動作可能な、付記２１に記載のプログラム。
（付記２３）　ネットワークを介してユーザの装置に接続可能な情報処理装置におけるコンテンツの送信方法であって、
或るコンテンツの要求の受信に応答して、ライセンス・ポリシーに従って前記或るコンテンツの送信に適用可能な少なくとも１つのセキュリティ方式の識別を送信するステップと、
前記コンテンツが前記１つのセキュリティ方式で受信され得る場合に、前記１つのセキュリティ方式でコンテンツを送信するステップと、
を含む、コンテンツの送信方法。
（付記２４）　ネットワークを介してユーザの装置に接続可能な情報処理装置におけるコンテンツの送信方法であって、
前記ユーザの装置から或るコンテンツの要求を受信するステップと、
前記プロセッサは、前記ユーザの装置から利用可能な少なくとも１つのセキュリティ方式の識別を受信するステップと、
前記プロセッサは、ライセンス・ポリシーに従って前記要求されたコンテンツが前記１つのセキュリティ方式で送信することができる場合に、前記１つのセキュリティ方式でコンテンツを送信するステップと、
を含む、コンテンツの送信方法。
（付記２５）　ネットワークを介してユーザの装置に接続可能な情報処理装置におけるコンテンツの送信方法であって、
前記ユーザの装置から少なくとも１つの利用可能なセキュリティ方式の識別を受信するステップと、
前記プロセッサは、コンテンツのリストの要求の受信に応答して、ライセンス・ポリシーに従って前記少なくとも１つの利用可能なセキュリティ方式で送信できるコンテンツのリストを送信するステップと、
を含む、コンテンツの送信方法。
（付記２６）　ネットワークを介してコンテンツ供給元に接続可能な情報処理装置におけるコンテンツの受信方法であって、
或るコンテンツの要求を送信するステップと、
前記プロセッサは、コンテンツの受信および再生に利用可能な少なくとも１つのセキュリティ方式の識別を送信するステップと、
前記プロセッサは、ライセンス・ポリシーに従って前記１つのセキュリティ方式で送信されたコンテンツを受信するステップと、
を含む、コンテンツの受信方法。
（付記２７）　ネットワークを介してコンテンツ供給元に接続可能な情報処理装置におけるコンテンツの受信方法であって、
或るコンテンツの要求を送信するステップと、
ライセンス・ポリシーに従った前記或るコンテンツを送信するための適用可能な少なくとも１つのセキュリティ方式の識別を受信するステップと、
前記１つのセキュリティ方式が利用可能な場合に、前記１つのセキュリティ方式の識別を送信するステップと、
を含む、コンテンツの受信方法。
【００８０】
【発明の効果】
本発明は、前述の特徴によって、ユーザによって利用可能な安全な伝送方式でコンテンツを送信することができるという効果を奏する。
【図面の簡単な説明】
【図１】図１は、本発明による、例えばインターネットのようなネットワークを介して接続されたコンテンツ・サーバおよび宅内ゲートウェイ・サーバの構成を示している。
【図２】図２は、本発明による、例えばインターネットのようなネットワークを介して接続されたコンテンツ・サーバおよび別の宅内ゲートウェイ・サーバの構成を示している。
【図３】図３は、本発明による、コンテンツ・サーバとゲートウェイ・サーバによって実行されるコンテンツの送信および受信の手順を示している。
【図４】図４は、本発明による、コンテンツ・サーバとゲートウェイ・サーバによって実行されるコンテンツの送信および受信の別の手順を示している。
【図５】図５は、本発明による、コンテンツ・サーバとゲートウェイ・サーバによって実行されるコンテンツの送信および受信のさらに別の手順を示している。
【図６】図６は、ライセンス・ポリシーに従って決定された或るコンテンツに適用可能な複数のセキュリティ方式の例を示している。
【符号の説明】
５　ネットワーク
１０　コンテンツ・サーバ
２０　宅内ゲートウェイ・サーバ
２０４　コンテンツ再生モジュール
２０６　セキュリティ・モジュール
３２０　テレビジョン装置
３３０　オーディオ装置
【図１】
2004030374.tif 000003
【図２】
2004030374.tif 000004
【図３】
2004030374.tif 000005
【図４】
2004030374.tif 000006
【図５】
2004030374.tif 000007
【図６】
2004030374.tif 000008